(57)【要約】【課題】  基地局装置に供給すべき電力の増加を抑えながら、バッテリーを充電する。【解決手段】  通信部１２は、通信対象の端末装置と通信する。電源部１４には、通信部１２において消費される予定の電力の値にもとづいて規定された値の電力が、コンセントを介して外部から供給される。検出部１６は、ベースバンド処理部３０から、ひとつのフレームのうち、通信対象の端末装置との通信に使用されるスロットが占める割合を受けつける。検出部１６は、受けつけたスロットの割合に応じて値を変えながら、制御電圧２００を生成し、出力する。充電部１８は、制御電圧２００にもとづいて、充電電流の値を制御しながら、供給された電力から充電電流を生成する。バッテリー２０は、充電電流によって充電される。【選択図】  図１
2006108797.tif 000002
【特許請求の範囲】
【請求項１】
通信対象の端末装置と通信する通信部と、
前記通信部において消費される予定の電力の値にもとづいて規定された値の電力が外部から供給され、供給された電力によって前記通信部を駆動させると共に、供給された電力から充電電流を生成する電源部と、
前記電源部において生成された充電電流によって充電され、かつ外部からの電力の供給が停止される場合に、前記通信部を駆動させるための電力を供給するバッテリーと、
前記通信部において消費される実際の電力の値にもとづいて、前記電源部が生成する充電電流の値を制御する制御部と、
を備えることを特徴とする基地局装置。
【請求項２】
前記通信部は、複数のスロットが含まれたフレームを形成し、かつフレームに含まれた所定のスロットを使用することによって、通信対象の端末装置との通信を実行し、
前記制御部は、前記通信部において消費される実際の電力の値として、前記通信部が形成したひとつのフレームのうち、通信対象の端末装置との通信に使用されるスロットが占める割合を使用することを特徴とする請求項１に記載の基地局装置。
【請求項３】
前記制御部は、通信対象の端末装置との通信に使用されるスロットとして、通信対象の端末装置への送信に使用されるスロットを対象とすることを特徴とする請求項２に記載の基地局装置。
【請求項４】
前記通信部において消費される電力の値を測定する測定部をさらに備え、
前記制御部は、前記通信部において消費される実際の電力の値として、前記測定部において測定された電力の値を使用することを特徴とする請求項１に記載の基地局装置。
【請求項５】
前記測定部は、前記通信部において消費される電力の値として、送信処理において消費される電力の値を測定することを特徴とする請求項４に記載の基地局装置。
【請求項６】
通信対象の端末装置と通信する通信回路を備えた基地局装置において、
通信回路において消費される予定の電力の値にもとづいて規定された値の電力が外部から供給され、供給された電力によって通信回路を駆動させ、
通信回路において消費される実際の電力の値にもとづいて、充電電流の値を制御しながら、供給された電力から充電電流を生成し、生成した充電電流をバッテリに供給することを特徴とするバッテリーの充電方法。
【発明の詳細な説明】
【技術分野】
【０００１】
本発明は、バッテリーの充電技術に関し、特に基地局装置に備えられたバッテリーを充電するバッテリーの充電方法およびそれを利用した基地局装置に関する。
【背景技術】
【０００２】
バッテリーを装備したコンピュータは、携帯性に富んでおり、ＡＣ電源を使用できない場所においても使用できる。一方、ＡＣ電源を使用できる場所において、ＡＣ電源アダプタを電源コンセントに接続すれば、コンピュータにはＤＣ電源が供給される。その結果、供給された電源が、コンピュータ内部のシステム負荷およびバッテリーの充電に利用される。このようなコンピュータの消費電力の制御技術として、従来は、システム負荷の消費電力が常に最大消費電力であるとの前提のもと、コンピュータ全体の消費電力がＡＣ電源アダプタの容量以内になるように制御が実行される。しかしながら、システム負荷の実際の消費電力は、コンピュータの動作状態の応じて変更する。そのため、システム負荷の最大消費電力と実際の消費電力との差に相当した電力は使用されず、ＡＣ電源アダプタの容量に無駄が生じる場合もある（例えば、特許文献１参照。）。
【特許文献１】特開２０００−１７２３８７号公報
【発明の開示】
【発明が解決しようとする課題】
【０００３】
第二世代コードレス電話システムのような移動通信システムは、基地局装置と端末装置によって構成される。なお、第二世代コードレス電話システムは、簡易型携帯電話システムとも呼ばれる。基地局装置はインフラ設備であるといえるので、停電の場合でも通常の動作が要求される。さらに、停電が０．５秒程度のものであっても、基地局装置の再起動が必要になるので、基地局装置の休止期間が数分間に及ぶ場合もある。そのため、基地局装置においてもバッテリーの内蔵が望ましい。基地局装置にバッテリーを内蔵する場合に、消費電力の設定が、通信機能において予定される最大の消費電力と、バッテリー充電のための消費電力にもとづいてなされれば、予定される消費電力が高くなってしまう。しかしながら、基地局装置は、停電以外の場合に常時給電されており、装置の面やコストの面を考慮すれば、予定される消費電力が低い方が好ましい。
【０００４】
本発明はこうした状況に鑑みてなされたものであり、その目的は、基地局装置に供給すべき電力の増加を抑えながら、バッテリーも充電するバッテリーの充電方法およびそれを利用した基地局装置を提供することにある。
【課題を解決するための手段】
【０００５】
上記課題を解決するために、本発明のある態様の基地局装置は、通信対象の端末装置と通信する通信部と、通信部において消費される予定の電力の値にもとづいて規定された値の電力が外部から供給され、供給された電力によって通信部を駆動させると共に、供給された電力から充電電流を生成する電源部と、電源部において生成された充電電流によって充電され、かつ外部からの電力の供給が停止される場合に、通信部を駆動させるための電力を供給するバッテリーと、通信部において消費される実際の電力の値にもとづいて、電源部が生成する充電電流の値を制御する制御部と、を備える。
【０００６】
「通信部において消費される予定の電力の値」とは、通信部に対して予め規定された電力の値であり、実際に使用される際の電力の値とは別に規定されるものである。一方、「通信部において消費される実際の電力の値」は、実際に使用される際の電力の値である。「通信部において消費される予定の電力の値」は、「通信部において消費される実際の電力の値」よりも大きな値を有する。
【０００７】
この態様によると、基地局装置に供給される電力の値は、通信部において消費される予定の電力の値にもとづいて規定された値を維持しつつ、通信部において消費される実際の電力の値に応じて、充電電流の値を制御するので、基地局装置に供給すべき電力の増加を抑えながら、バッテリーを充電できる。
【０００８】
通信部は、複数のスロットが含まれたフレームを形成し、かつフレームに含まれた所定のスロットを使用することによって、通信対象の端末装置との通信を実行し、制御部は、通信部において消費される実際の電力の値として、通信部が形成したひとつのフレームのうち、通信対象の端末装置との通信に使用されるスロットが占める割合を使用してもよい。この場合、実際の消費電力を測定しなくても、通信部において消費される実際の電力の値を推定できる。
【０００９】
本発明の別の態様は、バッテリーの充電方法である。この方法は、通信対象の端末装置と通信する通信回路を備えた基地局装置において、通信回路において消費される予定の電力の値にもとづいて規定された値の電力が外部から供給され、供給された電力によって通信回路を駆動させ、通信回路において消費される実際の電力の値にもとづいて、充電電流の値を制御しながら、供給された電力から充電電流を生成し、生成した充電電流をバッテリに供給する。
【００１０】
本発明のさらに別の態様も、バッテリーの充電方法である。この方法は、通信対象の端末装置と通信するステップと、通信するステップにおいて消費される予定の電力の値にもとづいて規定された値の電力が外部から供給され、供給された電力によって通信するステップを駆動させると共に、供給された電力から充電電流を生成するステップと、生成された充電電流によってバッテリーを充電し、かつ外部からの電力の供給が停止される場合に、通信するステップを駆動させるための電力をバッテリーから供給するステップと、通信するステップにおいて消費される実際の電力の値にもとづいて、生成する充電電流の値を制御するステップと、を備える。
【００１１】
通信するステップは、複数のスロットが含まれたフレームを形成し、かつフレームに含まれた所定のスロットを使用することによって、通信対象の端末装置との通信を実行し、制御するステップは、通信するステップにおいて消費される実際の電力の値として、通信するステップが形成したひとつのフレームのうち、通信対象の端末装置との通信に使用されるスロットが占める割合を使用してもよい。制御するステップは、通信対象の端末装置との通信に使用されるスロットとして、通信対象の端末装置への送信に使用されるスロットを対象としてもよい。
【００１２】
通信するステップにおいて消費される電力の値を測定するステップをさらに備え、制御するステップは、通信するステップにおいて消費される実際の電力の値として、測定するステップにおいて測定された電力の値を使用してもよい。測定するステップは、通信するステップにおいて消費される電力の値として、送信処理において消費される電力の値を測定してもよい。
【００１３】
なお、以上の構成要素の任意の組合せ、本発明の表現を方法、装置、システムなどの間で変換したものもまた、本発明の態様として有効である。
【発明の効果】
【００１４】
本発明によれば、基地局装置に供給すべき電力の増加を抑えながら、バッテリーを充電できる。
【発明を実施するための最良の形態】
【００１５】
本発明を具体的に説明する前に、概要を述べる。本発明の実施例は、第二世代コードレス電話システムでの基地局装置に関する。基地局装置は、複数のスロットによって構成されるフレームを形成し、スロットを使用して端末装置との通信を実行する。また、基地局装置は、フレームあたり、最大３台の端末装置と通信できるが、通信する端末装置の台数は変動する。本実施例に係る基地局装置は、通常、外部の電源と接続し、外部から電力を供給されることによって動作しているが、停電の場合でも動作できるように、内部にバッテリーを備えている。
【００１６】
ここで、基地局装置が外部から供給される電力の値は、基地局装置における通信処理において予定される電力の値の値にもとづいて規定される。しかしながら、基地局装置と通信している端末装置の台数の変動に応じて、通信処理において使用される実際の電力の値も変動する。そこで、基地局装置は、実際の電力の値が小さくなれば、バッテリーを充電するための充電電流の値を大きくし、実際の電力の値が大きくなれば、バッテリーを充電するための充電電流の値を小さくするように制御する。
【００１７】
図１は、本発明の実施例に係る基地局装置１００の構成を示す。基地局装置１００は、アンテナ１０、通信部１２、電源部１４、検出部１６、充電部１８、バッテリー２０、ダイオードＤを含む。また、通信部１２は、スイッチ２２、送信部２４、受信部２６、モデム２８、ベースバンド処理部３０を含む。また信号として、制御電圧２００を含む。
【００１８】
通信部１２は、図示しない通信対象の端末装置と通信する。ここで、通信部１２は、複数のスロットが含まれたフレームを形成し、かつフレームに含まれた所定のスロットを使用することによって、通信対象の端末装置との通信を実行する。図２は、通信部１２において形成されるフレームフォーマットの構成を示す。図は、第二世代コードレス電話システムでのフレームフォーマットに対応する。第二世代コードレス電話システムは、ＴＤＭＡ／ＴＤＤ（Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘ）を採用しているので、それに対応したフレームフォーマットが構成されている。フレームには、「スロット１」から「スロット８」までの８つのスロットが含まれている。
【００１９】
さらに、「スロット１」から「スロット４」までは、下り回線、すなわち通信部１２から信号を送信する際に使用され、「スロット５」から「スロット８」までは、上り回線、すなわち通信部１２によって信号を受信する際に使用される。また、上り回線に対応したスロットのひとつと、下り回線に対応したスロットのひとつが、ひとつの端末装置に対して使用される。例えば、「スロット２」と「スロット６」が、第１端末装置に対して使用される。複数のスロットのうち、「スロット１」と「スロット５」は、制御信号のために使用される。図示したフレームは、連続的に繰り返されており、端末装置との通信に使用するスロットは、フレーム単位で使用される。一方、制御信号のために使用するスロットは、２０フレームに一度使用される。
【００２０】
図１に戻る。アンテナ１０は、端末装置に対して、無線周波数の信号を送受信する。すなわち、前述の上り回線のタイミングにおいて、アンテナ１０は無線周波数の信号を受信し、下り回線のタイミングにおいて、アンテナ１０は無線周波数の信号を送信する。スイッチ２２は、上り回線のタイミングと下り回線のタイミングに応じて、送信部２４と受信部２６に対する動作を切り替える。すなわち、上り回線のタイミングにおいて、スイッチ２２は、アンテナ１０において受信した無線周波数の信号を受信部２６に出力し、下り回線のタイミングにおいて、スイッチ２２は送信部２４から出力された無線周波数の信号をアンテナ１０に出力する。
【００２１】
受信部２６は、入力した無線周波数の信号に対して、周波数変換や直交検波を施して、ベースバンドの信号を生成する。ここで、受信部２６からモデム２８に出力されるベースバンドの信号は、同相成分と直交成分を含むので、一般的に、ふたつの信号線によって示されるべきであるが、ここでは、図面の簡略化のためにひとつの信号線のみを示す。以下、同様である。また、受信部２６は、ＬＮＡ（Ｌｏｗ  Ｎｏｉｓｅ  Ａｍｐｌｉｆｉｅｒ）も含む。
【００２２】
送信部２４は、モデム２８から入力したベースバンドの信号に対して、直交変調や周波数変換を施して、無線周波数の信号を生成する。送信部２４は、生成した無線周波数の信号をスイッチ２２に出力する。また、送信部２４は、ＰＡ（Ｐｏｗｅｒ  Ａｍｐｌｉｆｉｅｒ）も含む。
【００２３】
モデム２８は、ベースバンドの信号に対して、変復調処理を行う。送信の際、モデム２８は、変調処理を実行する。ここで、変調方式は、π／４シフトＱＰＳＫ（Ｑｕａｄｒａｔｕｒｅ  Ｐｈａｓｅ  Ｓｈｉｆｔ  Ｋｅｙｉｎｇ）であるとする。一方、受信の際、モデム２８は、復調処理を実行する。
【００２４】
ベースバンド処理部３０は、ベースバンドの信号に対して、モデムの処理よりも上位のレイヤに相当した処理を実行する。例えば、ＴＤＭＡ／ＴＤＤ制御である。そのため、ベースバンド処理部３０は、端末装置との通信のために、現在使用しているスロットの数を管理する。
【００２５】
電源部１４には、通信部１２において消費される予定の電力の値にもとづいて規定された値の電力が、コンセントを介して外部から供給される。ここで、通信部１２において消費される予定の電力の値とは、通信部１２に対して規定されている最大消費電力である。また、通信部１２において消費される予定の電力の値にもとづいて規定された値とは、前述の最大消費電力よりも大きな値であって、かつ電力会社において規定された電力に対応した値である。さらに、電源部１４は、供給された電力によって通信部１２を駆動させる。また、電源部１４は、充電部１８での制御にもとづいて、供給された電力の一部を充電部に出力する。
【００２６】
検出部１６は、ベースバンド処理部３０から、ひとつのフレームのうち、通信対象の端末装置との通信に使用されるスロットが占める割合を受けつける。さらに、ここでは、通信対象の端末装置との通信に使用されるスロットとして、通信対象の端末装置への送信に使用されるスロットを対象とする。すなわち、図２の「スロット１」から「スロット４」を対象にする。「スロット１」は制御信号によって定期的に使用されるので、ここでは除外し、「スロット２」から「スロット４」のうちにおいて、使用されているスロットの割合を受けつける。送信処理では送信部２４のＰＡが使用されるので、送信処理において消費される電力は、受信処理において消費される電力よりも大きくなる。その結果、通信部１２での消費電力の程度を認識するために、送信に使用されるスロットを制御の対象にする。検出部１６は、受けつけたスロットの割合に応じて値を変えながら、制御電圧２００を生成し、出力する。
【００２７】
充電部１８は、制御電圧２００にもとづいて、充電電流の値を制御しながら、供給された電力から充電電流を生成する。ここで、制御電圧２００は、通信部１２において消費される実際の電力の値に対応する。充電部１８は、通信部１２において消費される実際の電力の値が大きくなると、すなわち、使用されているスロットの割合が高くなると、充電電流の値が小さくなるように制御する。一方、通信部１２において消費される実際の電力の値が小さくなると、すなわち、使用されているスロットの割合が低くなると、充電電流の値が大きくなるように制御する。
【００２８】
バッテリー２０は、充電電流によって充電される。また、停電のように、外部からの電力の供給が停止される場合に、バッテリー２０は、ダイオードＤを介して、通信部１２を駆動させるための電力を供給する。
【００２９】
図３は、バッテリー２０の充電特性を示す。図３は、横軸に時間を示し、縦軸に端子電圧、充電電流、充電率を示す。また、充電率が０％の場合を充電時間「０」とする。充電率が０〜５０％程度の充電の初期において、バッテリー２０に供給する充電電流の値を大きくすることによって、充電率が急速に回復する。それと共に、バッテリー２０の端子電圧も上昇する。その際、充電電流の値は、充電部１８の定電流特性によって、０．２５ＣＡ程度に制限される。充電率が５０％を超えると、バッテリー２０の端子電圧は、ほぼ一定の値になり、充電電流の値は徐々に低下する。その際、充電部１８は、定電圧特性を示す。
【００３０】
バッテリー２０が放電した場合、充電率の低下したバッテリー２０は、次の停電に備えて、短い期間に充電される方が望ましい。そのため、充電部１８は、バッテリー２０に応じた最大充電電流によって、バッテリー２０の充電を実行すべきである。しかしながら、外部から供給される電力は、通信部１２の動作にも使用される。そのため、本実施例では、通信部１２において実際に消費される電力の値に応じて、充電電流の値を変化させる。すなわち、通信部１２が多くのスロットを使用しているために、消費電力が大きければ、充電部１８は、充電電流の値を小さくする。一方、通信部１２が少しのスロットしか使用していないために、消費電力が小さければ、充電部１８は、充電電流の値を大きくする。
【００３１】
図４は、充電部１８の構成を示す。充電部１８は、制御部４０、電流センサ部４２、可変電源４４、電源４６、第１オペアンプＯＰ１、第２オペアンプＯＰ２、第１抵抗Ｒ１から第４抵抗Ｒ４を含む。
【００３２】
前提として、充電部１８は、以下のような機能を有する。すなわち、バッテリー２０の充電率が低い場合、充電部１８は、バッテリー２０を早急に充電するために、充電電流の値を最大にして充電を実行する。ここで、最大の充電電流の値は、０．２５ＣＡである。また、バッテリー２０を過充電しないために、充電部１８は、バッテリー２０の端子電圧を一定値に保つ。
【００３３】
制御部４０は、第１オペアンプＯＰ１と第２オペアンプＯＰ２からの制御信号にもとづいて、バッテリー２０へ供給すべき電圧値と電流値を制御する。ここで、電流値が充電電流の値に対応し、電圧値がバッテリー２０の端子電圧の値に対応する。バッテリー２０に供給すべき充電電流等は、第１抵抗Ｒ１の方向に出力される。
【００３４】
電流センサ部４２は、第１抵抗Ｒ１の両端に生じる充電電流に応じた電圧から、当該電圧に比例した電流を生成し、第２抵抗Ｒ２に出力する。そのため、生成される電流の値は、充電電流の値に比例する。
【００３５】
第１オペアンプＯＰ１は、可変電源４４での電圧と、第２抵抗Ｒ２による電圧を比較し、第２抵抗Ｒ２に供給される電流の値が一定になるような制御信号を生成する。第１オペアンプＯＰ１は、制御信号を制御部４０に出力する。ここで、第２抵抗Ｒ２に供給される電流の値は充電電流の値に比例するので、第１オペアンプＯＰ１は、充電電流に対して、定電流機能を実現する。また、可変電源４４の電圧は、制御電圧２００にもとづいて、制御される。そのため、制御電圧２００を制御することによって、制御部４０は、充電電流の値を制御する。
【００３６】
第２オペアンプＯＰ２は、電源４６での電圧と、第３抵抗Ｒ３と第４抵抗Ｒ４によって分圧した電圧を比較し、制御部４０から出力される電圧の値が一定になるような制御信号を生成する。第２オペアンプＯＰ２は、制御信号を制御部４０に出力する。そのため、第２オペアンプＯＰ２は、バッテリー２０の端子電圧に対して、定電圧機能を実現する。
【００３７】
図５は、充電部１８の出力特性を示す。図は、横軸に充電電流を示し、縦軸に端子電圧を示す。実線は、充電電流の値が最大になる場合を示し、通信部１２によって使用されるスロットが少ない場合を示す。端子電圧は、所定の値である「バッテリー充電電圧」を示し、充電電流は「０．２５ＣＡ」を示す。一方、通信部１２によって使用されるスロットが多くなれば、点線の状態に遷移する。この例では、端子電圧を維持したまま、充電電流は、「０．１ＣＡ」を示す。
【００３８】
以上の構成による基地局装置１００の動作を説明する。図６は、基地局装置１００における充電の手順を示すフローチャートである。検出部１６は、通信部１２が使用している下り回線のスロット数を検出する（Ｓ１０）。スロット数が０より大きく（Ｓ１２のＹ）、かつスロット数が１より大きく（Ｓ１４のＹ）、かつスロット数が２より大きければ（Ｓ１６のＹ）、検出部１６は、スロット数３に応じた制御電圧２００を設定する（Ｓ１８）。一方、スロット数が２より大きくなければ（Ｓ１６のＮ）、検出部１６は、スロット数２に応じた制御電圧２００を設定する（Ｓ２４）。
【００３９】
一方、スロット数が１より大きくなければ（Ｓ１４のＮ）、検出部１６は、スロット数１に応じた制御電圧２００を設定する（Ｓ２２）。一方、スロット数が０より大きくなければ（Ｓ１２のＮ）、検出部１６は、スロット数０に応じた制御電圧２００を設定する（Ｓ２０）。充電部１８は、制御電圧２００によって、充電電流の値を調節する（Ｓ２６）。充電部１８は、充電電流にもとづいて、バッテリー２０を充電する（Ｓ２８）。
【００４０】
さらに、検出部１６の構成が異なった変形例を説明する。変形例における検出部１６は、通信部１２において消費される電力の値を測定し、測定した電力の値にもとづいて制御電圧２００を生成する。すなわち、充電部１８は、測定した電力値が大きければ、充電電流の値が小さくなるように動作し、測定した電力値が小さければ、充電電流の値が大きくなるように動作する。ここでも、検出部１６は、通信部１２において消費される電力の値として、送信処理において消費される電力の値を対象にする。
【００４１】
図７は、基地局装置１００における別の充電の手順を示すフローチャートである。検出部１６は、通信部１２の送信処理における消費電力を測定する（Ｓ５０）。測定した消費電力がしきい値より大きければ（Ｓ５２のＹ）、検出部１６は、しきい値より大きい場合の制御電圧２００を設定する（Ｓ５４）。一方、測定した消費電力がしきい値より大きくなければ（Ｓ５２のＮ）、検出部１６は、しきい値以下である場合の制御電圧２００を設定する（Ｓ５６）。充電部１８は、制御電圧２００によって、充電電流の値を調節する（Ｓ５８）。充電部１８は、充電電流にもとづいて、バッテリー２０を充電する（Ｓ６０）。
【００４２】
本発明の実施例によれば、基地局装置に供給される電力の値は、通信部において消費される予定の電力の値にもとづいて規定された値を維持しつつ、通信部において使用されるスロットの割合に応じて、充電電流の値を制御するので、基地局装置に供給すべき電力の増加を抑えながら、バッテリーを充電できる。また、使用しているスロットの割合にもとづいて、通信部において消費される電力をするので、通信部において消費される電力の把握が容易になる。また、スロットの使用の決定は、基地局装置の内部でなされるので、使用しているスロットの割合の検出に誤りが生じない。
【００４３】
また、通信部において消費される電力の把握のために、消費される電力の増加を抑えられる。また、送信に使用されるスロットを制御の対象とするので、消費電力の推定の精度の低下を抑えながら、処理を簡易にできる。また、通信部において実際に消費されている電力を測定するので、通信部において消費される電力の把握が正確になる。また、送信に使用されるスロットを制御の対象とするので、測定が簡易になる。また、基地局装置に供給される電力の値は、通信部において消費される予定の電力の値にもとづいて規定されるので、バッテリーが備えられていない場合と同等の値に抑えられる。また、電力の値を小さくできるので、コストの増加を抑えられる。また、バッテリーを備えているので、停電の場合においてもサービスの停止を防ぐことができる。
【００４４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４５】
本発明の実施例において、検出部１６は、送信に使用されるスロットの数、あるいは送信処理において消費される電力にもとづいて、通信部１２において消費されている実際の電力を推定している。しかしながらこれに限らず例えば、これらに受信の場合を含めて推定を行ってもよい。すなわち、検出部１６は、通信に使用されるスロットの数、あるいは、通信処理において消費される電力にもとづいて、通信部１２において消費されている実際の電力を推定してもよい。本変形例によれば、通信部１２において消費されている実際の電力を推定が正確になる。つまり、通信部１２において消費されている実際の電力に応じた値が導出できればよい。
【００４６】
本発明の実施例において、検出部１６と充電部１８は、送信に使用されるスロットの数にもとづいて、充電電流の値を制御している。しかしながらこれに限らず例えば、スロットが使用されていない期間に充電電流を供給し、スロットが使用されている期間に充電電流の供給を停止してもよい。本変形例によれば、スロットが使用されている期間の充電電流の増加をより抑えられる。つまり、通信部において消費される予定の電力の値の中で、通信の処理とバッテリーの充電がなされればよい。
【００４７】
本発明の実施例において、通信システムは、第二世代コードレス電話システムであるとして説明した。しかしこれに限らず例えば、第３世代携帯電話システムなどの他の無線通信システムであってもよい。本変形例によれば、各種の通信システムに本発明を適用可能である。つまり、通信量が変動することによって、消費電力も変動する通信システムであればよい。
【図面の簡単な説明】
【００４８】
【図１】本発明の実施例に係る基地局装置の構成を示す図である。
【図２】図１の通信部において形成されるフレームフォーマットの構成を示す図である。
【図３】図１のバッテリーの充電特性を示す図である。
【図４】図１の充電部の構成を示す図である。
【図５】図１の充電部の出力特性示す図である。
【図６】図１の基地局装置における充電の手順を示すフローチャートである。
【図７】図１の基地局装置における別の充電の手順を示すフローチャートである。
【符号の説明】
【００４９】
１０  アンテナ、  １２  通信部、  １４  電源部、  １６  検出部、  １８  充電部、  ２０  バッテリー、  ２２  スイッチ、  ２４  送信部、  ２６  受信部、  ２８  モデム、  ３０  ベースバンド処理部、  Ｄ  ダイオード、  １００  基地局装置。
【図１】
2006108797.tif 000003
【図２】
2006108797.tif 000004
【図３】
2006108797.tif 000005
【図４】
2006108797.tif 000006
【図５】
2006108797.tif 000007
【図６】
2006108797.tif 000008
【図７】
2006108797.tif 000009